(57)【要約】      （修正有）【課題】製造が容易で高い引抜き抵抗力を発揮可能なアンカーピンを提供する。【解決手段】アンカーピンは、軸部１１の先端に先鋭部１２を設けた長尺状のピン本体１０と、軸部における先鋭部付近に付設した引抜き抵抗翼２０と、を備え、引抜き抵抗翼は、軸部の外周に接続する接続部２１と、接続部から軸部の両側に延出する２枚の前翼部２２と、２枚の前翼部からそれぞれ軸部の後端側に延出する２枚の翼尾部２３と、を有し、２枚の翼尾部は、２枚の前翼部に対して、それぞれ相対する方向に傾斜する。【選択図】図１
0003222210.tif 000002
【実用新案登録請求の範囲】
【請求項１】
軸部の先端に先鋭部を設けた長尺状のピン本体と、
前記軸部における前記先鋭部付近に付設した引抜き抵抗翼と、を備え、
前記引抜き抵抗翼は、前記軸部の外周に接続する接続部と、前記接続部から前記軸部の両側に延出する２枚の前翼部と、前記２枚の前翼部からそれぞれ前記軸部の後端側に延出する２枚の翼尾部と、を有し、
前記２枚の翼尾部は、前記２枚の前翼部に対して、それぞれ相対する方向に傾斜することを特徴とする、
アンカーピン。
【請求項２】
前記接続部は断面略凹弧状の当接面を有し、前記接続部が前記当接面を介して前記軸部の外周に接続することを特徴とする、請求項１に記載のアンカーピン。
【請求項３】
前記２枚の前翼部に対する前記２枚の翼尾部の傾斜角が、２５度から３５度の範囲にあることを特徴とする、請求項１又は２に記載のアンカーピン。
【請求項４】
前記引抜き抵抗翼は、前記２枚の翼尾部を前記２枚の前翼部に対して人力で曲折可能な程度の材質及び材料厚の組み合わせで構成されていることを特徴とする、請求項１乃至３のいずれか一項に記載のアンカーピン。
【請求項５】
前記２枚の前翼部は、それぞれ前記軸部の先端側から後端側へ広がる略三角形状を呈することを特徴とする、請求項１乃至４のいずれか一項に記載のアンカーピン。
【考案の詳細な説明】
【技術分野】
【０００１】
本考案はアンカーピンに関し、特に製造が容易で高い引抜き抵抗力を発揮可能なアンカーピンに関する。
【背景技術】
【０００２】
法面への金網や覆工マットの固定、テントや農業用ハウスのシートの固定等の用途に広くアンカーピンが利用されている。
従来技術のアンカーピンは、頭部がＪ字状又はＬ字状の心棒の先端に先鋭部を設けて構成する。この他、心棒の外周や先端に抜け止め用の構造を形成したアンカーピンが知られている。
特許文献１には、心棒の外周に複数のテーパー部と縮径段差を形成したアンカーピンが開示されている。特許文献２には、心棒の先端に羽根状金具を付設したアンカーピンが開示されている。特許文献３には、心棒の先端に螺旋状の線材を付設したアンカーピンが開示されている。
【先行技術文献】
【特許文献】
【０００３】
【特許文献１】特開平１１−２０９９７５号公報
【特許文献２】特開２０１２−２６１４４号公報
【特許文献３】特開２０１４−５８７８１号公報
【考案の概要】
【考案が解決しようとする課題】
【０００４】
従来技術のアンカーピンには以下の問題点がある。
＜１＞特許文献１のアンカーピンは、ピン周囲の土がテーパー部を拘束することで抜け止め効果を発揮することを期待した発明である。しかし実際には、貫入時に土中にテーパー部の最大径の貫通孔が形成されるため、周囲の土を締固めない限り抜け止め効果は限定的である。また、心材の外周に連続してテーパー部を形成する工程は複雑で、製造コストが嵩む。
＜２＞特許文献２のアンカーピンは、貫入時に引抜き抵抗金具によって土が乱れるため羽根部材が土を捕捉しにくく、抜け止め効果が低い。また、引抜き抵抗金具の構造が複雑な上、心棒を立てた状態で金具を溶接する必要があるため、製造に手間がかかり、製造コストが嵩む。
＜３＞特許文献３のアンカーピンは、面ではなく線で引抜きに抵抗する構成であるため、土の捕捉力が弱く、抜け止め効果が低い。また、螺旋状の線材を心棒に巻き付けて心棒を立てた状態で溶接する必要があるため、製造に手間がかかり、製造コストが嵩む。
【０００５】
本考案の目的は、以上のような問題点を解決できるアンカーピンを提供することにある。
【課題を解決するための手段】
【０００６】
本考案のアンカーピンは、軸部の先端に先鋭部を設けた長尺状のピン本体と、軸部における先鋭部付近に付設した引抜き抵抗翼と、を備え、引抜き抵抗翼は、軸部の外周に接続する接続部と、接続部から軸部の両側に延出する２枚の前翼部と、２枚の前翼部からそれぞれ軸部の後端側に延出する２枚の翼尾部と、を有し、２枚の翼尾部は、２枚の前翼部に対して、それぞれ相対する方向に傾斜することを特徴とする。
【０００７】
本考案のアンカーピンは、接続部が断面略凹弧状の当接面を有し、接続部が当接面を介して軸部の外周に接続していてもよい。
【０００８】
本考案のアンカーピンは、２枚の前翼部に対する２枚の翼尾部の傾斜角が、２５度から３５度の範囲にあってもよい。
【０００９】
本考案のアンカーピンは、引抜き抵抗翼が、２枚の翼尾部を２枚の前翼部に対して人力で曲折可能な程度の材質及び材料厚の組み合わせで構成されていてもよい。
【００１０】
本考案のアンカーピンは、２枚の前翼部が、それぞれ軸部の先端側から後端側へ広がる略三角形状を呈していてもよい。
【考案の効果】
【００１１】
本考案のアンカーピンは、上記の構成により次の効果のうち少なくとも一つを備える。
＜１＞ピン本体の頭部に打撃を与えることで心棒が回転し、引抜き抵抗翼が地中を螺旋状に切り込みながら貫入してゆく。このため、周囲の土が乱れにくく、引抜き抵抗翼による土の捕捉力が高いため、抜け止め効果が非常に高い。
＜２＞汎用のピン本体と平板状の引抜き抵抗翼の組み合わせからなる簡素な構成であるため、材料コストが安い。
＜３＞引抜き抵抗翼を心棒の片側から組み合わせる構成であるため、ピン本体を寝かせた状態で引抜き抵抗翼を溶接できる。このため製造が容易で、製造コストが安い。
【図面の簡単な説明】
【００１２】
【図１】本考案のアンカーピンの説明図。
【図２】アンカーピンの製造方法の説明図。
【図３】アンカーピンの製造方法の説明図。
【図４】アンカーピンの使用方法の説明図。
【考案を実施するための形態】
【００１３】
以下、図面を参照しながら本考案のアンカーピンについて詳細に説明する。
【実施例１】
【００１４】
[アンカーピン]
＜１＞全体の構成（図１）。
本考案のアンカーピン１は、製造が容易でありながら、高い引抜き抵抗力を発揮可能な点に特徴を有する。
アンカーピン１は、例えば金網、ロープ、ワイヤ、樹脂ネット、シート材の固定など様々な用途に使用できる。
アンカーピン１は、長尺状のピン本体１０と、ピン本体１０の先端付近に付設した引抜き抵抗翼２０と、を少なくとも備える。
【００１５】
＜２＞ピン本体。
ピン本体１０は、軸部１１と、軸部１１の先端に形成した先鋭部１２と、軸部１１の後端に形成した係止部１３と、を備える。
本例では、ピン本体１０として、亜鉛メッキ鉄線を採用する。ただし素材はこれに限られない。
また本例では、係止部１３をフック形状とするが、係止部１３の形状はこれに限られず、Ｌ字状やリング形状など用途に応じて適宜選択することができる。
【００１６】
＜３＞引抜き抵抗翼。
引抜き抵抗翼２０は、地盤内で引抜き抵抗力を発揮する構成要素である。
引抜き抵抗翼２０は、接続部２１と、２枚の前翼部２２と、２枚の翼尾部２３と、を一体に構成した概ね矢羽状の構造からなる。
本例では、引抜き抵抗翼２０として、亜鉛メッキを施した鉄片を採用する。ただし素材はこれに限られない。
接続部２１は、軸部１１の外周に対応する断面略凹弧状を呈し、内側に軸部１１の外周と接続する当接面２１ａを備える。
２枚の前翼部２２は、接続部２１の両側から延出し、それぞれが軸部１１の先端側から後端側へと広がる略三角形状を呈する。
【００１７】
＜３．１＞翼尾部。
２枚の翼尾部２３は、それぞれ前翼部２２の後部から軸部１１の後端側へ延出する。
２枚の翼尾部２３は、２枚の前翼部２２に対してそれぞれ相対する方向に傾斜する。すなわち２枚の翼尾部２３は、軸部１１の芯線に対して角度を付けた状態で軸対称に形成される。
前翼部２２に対する翼尾部２３の傾斜角は、それぞれ２５度から３５度の範囲にあることが望ましい。
【００１８】
＜４＞製造方法。
本考案のアンカーピン１の製造方法について説明する。
ピン本体１０と引抜き抵抗翼２０を準備する。引抜き抵抗翼２０は翼尾部２３に角度をつける前の平坦な状態とする。
接続部２１の当接面２１ａを軸部１１の外周に当接させ、ピン本体１０と引抜き抵抗翼２０を組み合わせる（図２）。
接続部２１の前縁部２１ｂ及び後縁部２１ｃと軸部１１の継ぎ目を溶接して両者を固定する（図３（ａ））。
２枚の翼尾部２３を、軸部１１の芯線に対して軸対称に折り曲げる（図３（ｂ））。
なお、翼尾部２３を手曲げ可能な程度の材質と厚みにすれば、加工が更に容易になる。また、翼尾部２３を現場で折り曲げることで、搬送時の荷姿を平坦にして、搬送性・保管性を高めることができる。
本考案のアンカーピン１は、市販のピン本体１０に引抜き抵抗翼２０を付設した簡易な構造であるため材料コスト及び製造コストが安い。また、ピン本体１０を寝かせた状態で、引抜き抵抗翼２０を片面溶接できるため、製造が容易である。
なお本例では、引抜き抵抗翼２０を溶接でピン本体１０に固定したがこれに限らず、例えば接着等によって固定してもよい。
【００１９】
＜５＞使用方法（図４）。
本考案のアンカーピン１を地盤に貫入する例について説明する。
ピン本体１０の先鋭部１２を地盤に突き刺して固定し、ハンマー等の工具で上方から係止部１３に打撃を加える。すると、アンカーピン１は、翼尾部２３の傾斜方向に沿ってピン本体１０の長軸を中心に回転し、地中を螺旋状に切り込みながら貫入してゆく。このため、貫入時に土を乱しにくい。
係止部１３に、用途に応じた適宜の段階でワイヤなどの固定対象物を係止して、地盤に固定する。
本考案のアンカーピン１は、軸部１１の長軸に沿った引抜き方向と螺旋状の地盤への切り込み方向が異なるため、引抜き抵抗翼２０の翼尾部２３が乱れのない土を捕捉することで、引抜き力に対して高い抵抗力を発揮することができる。
【符号の説明】
【００２０】
１      アンカーピン
１０    ピン本体
１１    軸部
１２    先鋭部
１３    係止部
２０    引抜き抵抗翼
２１    接続部
２１ａ  当接面
２１ｂ  前縁部
２１ｃ  後縁部
２２    前翼部
２３    翼尾部
【図１】
0003222210.tif 000003
【図２】
0003222210.tif 000004
【図３】
0003222210.tif 000005
【図４】
0003222210.tif 000006